(57)【要約】【目的】安定した燃焼性能とメンテナンス時の作業性に優れた給湯機を実現した送風機の取付け構造に関する。【構成】枠体１内に配置した熱交換器２の下部側面にバーナ３を取付け、バーナ３よりも高い位置の枠体１の側面１ａには送風機４を取付ける為のベース５を設け、送風機４には送風機ブラケット６を取付ける。ベース５は枠体１の側面１ａに係合する側面板５ａの下端と前端から枠体１内に突出する底面板５ｂと係合片５ｃとを設け、底面板５ｂと係合片５ｃの下端との間に間隙を設ける。送風機４は送風機ブラケット６の平面板６ａの両端によってベース５の底面板５ｂ上に設置し、平面板６ａの前端から上方に向けて形成した係合板６ｂをベース５の係合片５ｃの前面に接触させ、係合板６ｂと係合片５ｃの間に装着する固定ネジ８によって固定し、バーナ３と送風機４とを送風パイプ７で連続したものである。【選択図】          図１
2004232945.tif 000002
【特許請求の範囲】
【請求項１】
枠体１内に配置した熱交換器２と、該熱交換器２に接続して熱交換器２を加熱するバーナ３と、該バーナ３の上部に配置してバーナ３に燃焼空気を供給する送風機４とを設けた給湯機において、
前記熱交換器２は枠体１内の後方に配置すると共に、前記バーナ３は枠体１の前方から熱交換器２の下部側面に取付け、
バーナ３よりも高い位置の枠体１内の両側面１ａには送風機４を取付ける為のベース５を設けると共に、前記送風機４の吹出口には送風機ブラケット６を取付け、
送風機４を送風機ブラケット６とベース５を介して枠体１に取付け、
かつ、バーナ３と送風機４とを送風パイプ７で連続したことを特徴とする給湯機の送風機の取付け構造。
【請求項２】
前記ベース５は枠体１の側面１ａに係合する側面板５ａと、該側面板５ａの下端から枠体１内に突出する底面板５ｂと、側面板５ａの前端から枠体１内に突出する係合片５ｃとで構成し、底面板５ｂと係合片５ｃの下端との間には間隙を設け、
かつ、前記送風機ブラケット６は両端を枠体１内の両側面１ａ付近まで伸ばした平面板６ａと、該平面板６ａの前端から上方に向けて形成した係合板６ｂとで構成し、
前記送風機４は送風機ブラケット６の平面板６ａの両端によってベース５の底面板５ｂ上に設置し、
係合板６ｂと係合片５ｃの間に装着する固定ネジ８によって送風機ブラケット６をベース５に固定することを特徴とする請求項１記載の給湯機の送風機の取付け構造。
【請求項３】
ベース５の後端側の側面板５ａもしくは底面板５ｂには送風機ブラケット６の平面板６ｂの上方に近接して係止片５ｄを設けたことを特徴とする請求項２に記載の給湯機の送風機の取付け構造。
【発明の詳細な説明】
【０００１】
【産業上の利用分野】
この発明は給湯機のバーナに燃焼空気を供給する送風機の取付け構造に関する。
【０００２】
【従来の技術】
給湯機は枠体内に設置した熱交換器と、熱交換器を加熱するバーナと、バーナに燃焼空気を供給する為の送風機とを備えており、バーナが燃焼して高温となる熱交換器によって水を加熱している。
【０００３】
従来の給湯機は熱交換器の側面にバーナを取付け、バーナの後部にケースを取付け、このケースの上部に送風機を取付けた構造が一般的であり、給湯機の設置後のメンテナンス作業などでバーナと送風機を取外すときは、送風機とバーナが一体のままでは重くバランスが悪いために作業性が悪いから、従来ではバーナを取付けたままでも送風機だけを取外すことができるようにしており、その後バーナを熱交換器から取外すことができるようになっている。
【０００４】
また、送風機は送風ケーシングを構成しており、送風ケーシングの外周では風速が大きく、内周では風速が小さくなるため、吹出口から送られる燃焼空気にばらつきが生じるが、この燃焼空気はケースで一旦均一化されてからバーナに供給されており、安定した燃焼を得ることができるようになっている。
【０００５】
【発明が解決しようとする課題】
上記構成の給湯機は、送風機を取外してからバーナを取外すことができるから作業がしやすくなると共に、送風機のみメンテナンスが必要なときは送風機だけ取外すことができるメリットがあるものの、バーナだけを取外すことはできず、バーナのみメンテナンスが必要な場合でも送風機を外した後でバーナを取外すか、送風機とバーナを一体のまま外す作業が必要となってしまい、バーナのみメンテナンスが必要な場合の作業性は考慮されていなかった。
【０００６】
また、ケースの上部に配置した送風機は吹出口を下向きにして取付けているために安定が悪く、送風機を固定するネジを外した状態では送風機が落下したり転倒してしまうから、送風機を手で支えながら作業しなければならなかった。
【０００７】
この為、送風機とケースの間にツメなどの係合手段を設けて仮固定して、送風機を支えなくてもネジ止め作業ができるようにしているが、この構造では取付け部の形状が複雑になってコストアップにつながり、送風機を支えるために強固に係合しているため、係合を外す時にはマイナスドライバーなどの工具が必要となっていた。
【０００８】
また、燃焼空気を均一化してバーナの燃焼を安定させるには、送風機とバーナとの間の送風経路が長い方が有利であり、そのためにはケースの形状を大きくする必要があるが、送風機の取付け位置はバーナの上方に限定され、送風機の取付け位置の変更は難しいため、ケースの形状が大きくなれば送風機の取付け位置も高くなり、枠体内にはスペースが必要となるから、ケースの形状はあまり大きくできないものであった。
【０００９】
【課題を解決するための手段】
この発明は上記の課題を解決するもので、枠体１内に配置した熱交換器２と、該熱交換器２に接続して熱交換器２を加熱するバーナ３と、該バーナ３の上部に配置してバーナ３に燃焼空気を供給する送風機４とを設けた給湯機において、前記熱交換器２は枠体１内の後方に配置すると共に、前記バーナ３は枠体１の前方から熱交換器２の下部側面に取付け、バーナ３よりも高い位置の枠体１内の両側面１ａには送風機４を取付ける為のベース５を設けると共に、前記送風機４の吹出口には送風機ブラケット６を取付け、送風機４を送風機ブラケット６とベース５を介して枠体１に取付け、かつ、バーナ３と送風機４とを送風パイプ７で連続したものである。
【００１０】
また、前記ベース５は枠体１の側面１ａに係合する側面板５ａと、該側面板５ａの下端から枠体１内に突出する底面板５ｂと、側面板５ａの前端から枠体１内に突出する係合片５ｃとで構成し、底面板５ｂと係合片５ｃの下端との間には間隙を設け、かつ、前記送風機ブラケット６は両端を枠体１内の両側面１ａ付近まで伸ばした平面板６ａと、該平面板６ａの前端から上方に向けて形成した係合板６ｂとで構成し、前記送風機４は送風機ブラケット６の平面板６ａの両端によってベース５の底面板５ｂ上に設置し、係合板６ｂと係合片５ｃの間に装着する固定ネジ８によって送風機ブラケット６をベース５に固定する構成であるから、送風機４の取外し、取付け作業が容易にできる。
【００１１】
また、ベース５の後端側の側面板５ａもしくは底面板５ｂには送風機ブラケット６の平面板６ｂの上方に近接して係止片５ｄを設けたから、簡単な構造で確実に送風機４の転倒が防止でき、メンテナンス時の作業性が向上できる。
【００１２】
【作用】
この発明は、枠体１内に設置した熱交換器２の下部側面にバーナ３を取付け、枠体１内のバーナ３よりも上方に位置するように送風機４を配置し、送風機４は送風機ブラケット６と枠体１の側面１ａに設けたベース５とによって枠体１に取付けたものであり、給湯機のメンテナンス作業時に送風機４を枠体１に取付けたままバーナ３だけを熱交換器２から取外すことができるものとなった。
【００１３】
また、送風機４とバーナ３とを送風パイプ７で連続しているから、送風機４から送られる燃焼空気は送風パイプ７内を通過する時に均一化されてからバーナ３に供給されるから、バーナ３の燃焼が安定するものとなった。
【００１４】
また、送風機４を取外すときは、送風機ブラケット６の係合板６ｂとベース５の係合片５ｃの間に取付けた固定ネジ８を外し、送風機４を手前に引き抜くだけで簡単に外すことができ、送風機４を取付けるときは、送風機ブラケット６の平面板６ａをベース５の底面板５ｂと係合片５ｃの下端との間に差込んでベース５の底面板５ｂ上に設置し、係合片５ｃと係合板６ｂを固定ネジ８で固定するだけでよく、送風機ブラケット６で支えられた送風機４はネジ止めしていなくても安定して簡単に転倒することはないから、作業がしやすくなった。
【００１５】
更に、ベース５の後端側には送風機ブラケット６の平面板６ａの上方に近接して係止片５ｄを設ければ、送風機４が手前側に転倒しようとしたときには平面６ａが係止片５ｄに当たって移動が止められるから、送風機４の転倒を確実に防止できる。
【００１６】
【実施例】
図に示す貯湯式給湯機の実施例によってこの発明を説明すると、１は給湯機の枠体、２は枠体１内に設置した熱交換器、３は熱交換器２の下部側壁に取付けたバーナ、９はバーナ３の火炎が吹込まれる燃焼室、１０は燃焼室９の上部に連なる燃焼ガス流路、１１は燃焼ガス流路１０を通過した燃焼排気ガスを枠体１外へ排気する排気筒であり、燃焼室９と排気ガス流路１０は熱交換器２の熱交換部を構成している。
【００１７】
１２は燃焼室９と燃焼ガス流路１０の外方を覆う水室、１３は熱交換器２の水室１２に接続して水を供給する給水管、１４は熱交換器２で加熱した温水を吐出す出湯管であり、給水管１３から熱交換器２の水室１２に送られた水は、バーナ３の熱で高温となった燃焼室９と燃焼ガス流路１０で加熱して温水となって出湯管１４から吐出される。
【００１８】
４はバーナ３に燃焼空気を供給する送風機、１５は図示しない燃料ポンプから燃料が送られる燃料噴霧ノズル、１６は燃料噴霧ノズル１５の前方に先端を配置した点火装置であり、給湯機の運転を開始すると送風機４からバーナ３の外壁を兼ねる送風筒に燃焼空気が送られ、燃料噴霧ノズル１５から燃焼室９内方向に霧状燃料が噴出し、霧状燃料は点火装置１６で発生する放電火花によって着火し、その後は点火装置１６を停止しても燃料噴霧ノズル１５から噴出する霧状燃料は燃焼を継続する。
【００１９】
１７はバーナ３を取付けるための熱交換器２に設けたバーナ取付筒であり、バーナ３の先端をバーナ取付筒１７にのぞませて取付け、後部をネジ止めして固定している。
【００２０】
１ｂは枠体１の前面パネルであり、給湯機の設置後のメンテナンス作業は前面パネル１ｂを取外し、熱交換器２に取付けたバーナ３や送風機４を取外すことができるが、従来ではバーナ３の後部に送風機４を取付けるためのケースを設け、このケースの上部に送風機４を取付けた構成となっている為、バーナ３だけを取外したいときでも、バーナ３を送風機４と一緒に外すか、送風機４を外してからバーナ３を外す必要が有り、バーナ３だけを取外すことができないため作業が煩雑になり、メンテナンス時の作業性を悪くしていた。
【００２１】
また、バーナ３と送風機４の間に設けたケースは送風機４から送られる燃焼空気を均一化する働きがあり、送風機４からバーナ３に至る送風経路は長い方が有利であるから、ケースの形状を大きくした方が良いが、送風機４の取付け位置はバーナ３の上方に限定されるため、ケースの形状を大きくすると送風機４の取付け位置が高くなってスペースが必要となるから、ケースの形状はあまり大きくできなかった。
【００２２】
この発明は上記の課題を解決して安定した燃焼性能とメンテナンス時の作業性に優れた給湯機を提供するものであり、６は送風機４に取付けた送風機ブラケット、５は枠体１内の両側の側面１ａに取付けたベースであり、送風機４は送風機ブラケット６とベース５を介して枠体１の側面１ａに取付け、送風機ブラケット６とベース５とをネジ止めすることで枠体１内に固定されている。このとき、ベース５はバーナ３の取付け位置よりも高い位置に設けてあり、送風機４はバーナ３よりも高い位置に配置され、送風機４の下方にはバーナ３を取出すことができるスペースが形成されている。
【００２３】
７はバーナ３と送風機４とを連続する送風パイプであり、該送風パイプ７は蛇腹のホースなどで構成して容易に変形できるようになっており、バーナ３と送風機４とが離れた位置にあっても容易に接続することができるようになっている。
【００２４】
このような構成であれば、給湯機のメンテナンス作業でバーナ３のみを取外したい場合には、バーナ３の取付ネジを外すだけで送風機４の下方からバーナ３を容易に取出すことができるから、送風機４を取付けたままでもバーナ３の取外し、取付けが可能となり、メンテナンス時の作業性が向上できるものとなった。
【００２５】
また、送風機４とバーナ３とを送風パイプ７で連続したことで、送風機４の取付け位置を高くしなくても送風経路を長くすることができ、送風機４から送られる燃焼空気は送風パイプ７を通過するときに均一化されてからバーナ３に送られるので、バーナ３の燃焼を安定させることができた。
【００２６】
この発明の具体的な実施例として、５ａはベース５の側面板、５ｂは側面板５ａの下端から枠体１内に突出させた底面板、５ｃは側面板５ａの前端から枠体１内に突出させた係合片であり、底面板５ｂと係合片５ｃの下端との間に間隙を形成しており、ベース５は側面板５ａを側面１ａにネジ止めや溶接などによって取付けられている。
【００２７】
６ａは送風機ブラケット６を構成する平面板、６ｂは平面板６ａの前端から上方に折り曲げて形成した係合板、６ｃは平面板６ａに設けた開口であり、送風機４は吹出口を下向きにして送風機ブラケット６の平面板６ａの上面側から開口６ｃに取付け、送風パイプ７は平面板６ａの下面側から開口６ｃに接続してあり、送風機ブラケット６の両端は枠体１内の側面１ａ付近まで伸ばしている。
【００２８】
また、実施例の送風機ブラケット６は係合板６ｂを両端のみに設けているが、平面板６ａの前端の全体を上方に折り曲げた形状にしてもよく、全体をＬ字状にしたときには強度のある送風機ブラケット６を構成できる。
【００２９】
そして、送風機４を枠体１内に取付けるときは、送風機ブラケット６の平面板６ａの両端をベース５の底面板５ｂと係合片５ｃとの間隙に挿入し、平面板６ａの両端によってベース５の底面板５ｂ上に設置する。このとき送風機ブラケット６の係合板６ｂはベース５の係合片５ｃの前方に位置しており、送風機ブラケット６は係合板６ｂが係合片５ｃの前面に接触する位置まで挿入する。
【００３０】
８はベース５の係止片５ｃと送風機ブラケット６の係合板６ｂとの間に装着する固定ネジであり、係合片５ｃと係合板６ｂとの間に固定ネジ８を取付けると送風機ブラケット６がベース５に固着され、送風機４を枠体１の側面１ａに固定することができる。
【００３１】
一方、送風機４を取外すときは、ベース５の係合片５ｃと送風機ブラケット６の係合板６ｂに取付けた固定ネジ８を取外し、送風機４を手前に引き抜くだけでよく、送風機４を簡単に取外すことができるものである。
【００３２】
また、送風機４は形状の大きい送風機ブラケット６で支えられているから、固定ネジ８を外した状態でも安定して簡単に転倒することはなくなり、ネジ止め作業時には送風機４を軽く手で支えるだけでよいので作業が非常にやりやすくなった。
【００３３】
更に、５ｄはベース５の後端側の側面板５ａもしくは底面板５ｂに形成した係止片であり、該係止片５ｄは送風機ブラケット６の平面板６ａの上面に近接するように設けてあり、固定ネジ８を外した状態で送風機４が手前側に転倒しようとしたときは送風機ブラケット６の平面板６ａが係止片５ｄに当たって止まるから、送風機４の安定性を更に高めることができ、ネジ止め作業は両手を使ってできるようになり、送風機４の取外し、取付け作業が非常に容易にできるものとなった。
【００３４】
また、送風機４の取付け位置はバーナ３の上方に限定されないから、枠体１内の配置を変更しやすくなり、スペースを有効に使うことができるから、給湯機の小型化などにも対応しやすいものとなった。
【００３５】
【発明の効果】
以上のようにこの発明では、枠体１の側面１ａに設けたベース５と、送風機４に設けた送風機ブラケット６を介して送風機４を枠体１の側面１ａに取付け、送風機４をバーナ３よりも高い位置に配置したから、送風機４を取外さなくてもバーナ３の取外しや取付けができるようになり、メンテナンス時の作業性を向上することができるものとなった。
【００３６】
また、送風機４からバーナ３に至る送風経路が短いとバーナ３に供給される燃焼空気にばらつきが生じてバーナ３の燃焼が悪化する恐れがあるが、この発明では、バーナ３と送風機４とを送風パイプ７で連続することで送風経路を長くすることができ、送風機４から送られる燃焼空気が送風パイプ７を通過するときに均一化されるから、バーナ３の燃焼を安定させることができるものとなった。
【００３７】
また、送風機４は送風機ブラケット６の平面板６ａをベース５の底面板５ｂと係合片５ｃの下端との間隙に差込み、送風機ブラケット６の係合板６ｂとベース５の係合片５ｃとをネジ止めした構成であり、送風機ブラケット６で支えられる送風機４は固定ネジ８を外した状態でも安定しており、送風機４を支えなくても送風機４が簡単に外れたり転倒したりすることはなくなったから、送風機４を仮固定する必要がなくなり、送風機４の取外しや取付け作業は手間がかからず非常に容易にできるものとなった。
【００３８】
更に、ベース５の後端側の側面板５ａもしくは底面板５ｂに送風機ブラケット６の平面板６ａの上方に近接して係止片５ｄを設けることで、確実に送風機４の転倒を防止することができるから、メンテナンス作業性に優れた給湯機を簡単な構造で安価に実現できるものである。
【図面の簡単な説明】
【図１】この発明の実施例を示す給湯機の断面図である。
【図２】この発明の実施例を示す給湯機の前面パネルを取外した状態の正面図である。
【図３】この発明に使用する部品の斜視図である。
【符号の説明】
１    枠体
１ａ  側面
２    熱交換器
３    バーナ
４    送風機
５    ベース
５ａ  側面板
５ｂ  底面板
５ｃ  係合片
５ｄ  係止片
６    送風機ブラケット
６ａ  平面板
６ｂ  係合板
７    送風パイプ
８    固定ネジ
【図１】
2004232945.tif 000003
【図２】
2004232945.tif 000004
【図３】
2004232945.tif 000005